(57)【要約】  【課題】  補助マスクによる振動防止効果を維持しつつ、蛍光体スクリーンの明暗パターンの発生を防止するカラー受像管を提供する。  【解決手段】  シャドウマスク８は、マスク本体１４の一部に重なるように補助マスク１５が固定されており、マスク本体１４の電子ビーム通過孔２７の位置と、補助マスク１５の電子ビーム通過孔の位置とが対応しており、マスク本体１４単体の電子ビームの蛍光体スクリーン側への透過率分布を画面水平方向についてみると、補助マスク１５が固定される部分と補助マスク１５の固定されない部分との境界５０部分とで不連続になっており、不連続部分において、シャドウマスク８の両端から中央に向かうにつれて減少している透過率がいったん増加している。【選択図】  図６
2005251531.tif 000002
【特許請求の範囲】
【請求項１】
蛍光体スクリーンと、
前記蛍光体スクリーンに対向して配置され、電子ビーム通過孔が形成されたシャドウマスクとを備え、
前記シャドウマスクは、マスク本体の一部に重なるように補助マスクが固定されており、前記マスク本体の電子ビーム通過孔の位置と、前記補助マスクの電子ビーム通過孔の位置とが対応しており、
前記マスク本体単体の前記電子ビームの前記蛍光体スクリーン側への透過率分布を画面水平方向についてみると、前記補助マスクが固定される部分と前記補助マスクの固定されない部分との境界部分とで不連続になっており、
前記不連続部分において、前記シャドウマスクの両端から中央に向かうにつれて減少している透過率がいったん増加していることを特徴とするカラー受像管。
【請求項２】
前記マスク本体の前記境界部分に隣接する部分のうち、前記補助マスクが固定される部分における前記マスク本体の画面水平方向の開孔幅は、前記補助マスクの固定されない部分における前記マスク本体の画面水平方向の開孔幅より大きい請求項１に記載のカラー受像管。
【請求項３】
前記マスク本体の前記境界部分に隣接する部分のうち、前記補助マスクが固定される部分における前記マスク本体の画面水平方向の開孔幅は、前記補助マスクの固定されない部分における前記マスク本体の画面水平方向の開孔幅に比べ１．０５倍以上１．２倍以下である請求項１に記載のカラー受像管。
【請求項４】
蛍光体スクリーンと、
前記蛍光体スクリーンに対向して配置され、電子ビーム通過孔が形成されたシャドウマスクとを備え、
前記シャドウマスクは、マスク本体の一部に重なるようにように補助マスクが固定されており、前記マスク本体の電子ビーム通過孔の位置と、前記補助マスクの電子ビーム通過孔の位置とが対応しており、
前記マスク本体の前記補助マスクが固定される部分と前記補助マスクの固定されない部分との境界部分に隣接する部分のうち、前記補助マスクが固定される部分における前記マスク本体の画面水平方向の開孔幅は、前記補助マスクの固定されない部分における前記マスク本体の画面水平方向の開孔幅より大きいことを特徴とするカラー受像管。
【請求項５】
前記補助マスクが固定される部分における前記マスク本体の画面水平方向の開孔幅は、前記補助マスクの固定されない部分における前記マスク本体の画面水平方向の開孔幅に比べ１．０５倍以上１．２倍以下である請求項４に記載のカラー受像管。
【発明の詳細な説明】
【技術分野】
【０００１】
本発明は、テレビジョン、コンピュータディスプレイ等に用いられるシャドウマスクを備えたカラー受像管に関する。
【背景技術】
【０００２】
一般に、カラー受像管は、蛍光体スクリーンが形成されたパネルを有する外囲器と、この外囲器内で蛍光体スクリーンに対向して設けられたほぼ矩形状のシャドウマスクとを備えている。蛍光体スクリーンはパネル内面に形成されており、青、緑、赤に発光する例えばストライプ状の３色蛍光体層と、黒色遮光層とが形成されている。
【０００３】
シャドウマスクの蛍光体スクリーンと対向する有孔面には、電子ビーム通過孔として多数の開孔が所定の配列で形成されている。そして、シャドウマスクは、各開孔により電子銃から放出された３本の電子ビームを選別し、蛍光体スクリーンを構成する３色蛍光体層に入射させる機能を備えている。
【０００４】
ストライプ型のカラー蛍光面の形成は、まずパネル内面に感光性被膜を塗布し、乾燥させる。その後、露光光源から射出され、色選別機構を設けられたスロット状の多数の開孔を通過した紫外線によって、感光性被膜にストライプ状の露光領域を形成する。次に、前記とほぼ同様の露光手段にて蛍光体層を形成する。
【０００５】
近年、外光反射を少なくし、かつ画像歪を軽減して視認性を高めるために、カラー受像管のパネル外面の曲率半径を１００００ｍｍ以上とし、実質的に平坦面としたフラット管が主流となりつつある。通常、蛍光体スクリーンと対向するシャドウマスクの有孔面は、パネルの内面形状に対応した形状に形成されている。このため、フラット管のシャドウマスクは、従来のカラー受像管に対して曲率が小さくなり、ほぼ平坦化している。ところが、このような曲率の小さなシャドウマスクを用いた場合、以下の問題が生じる。
【０００６】
通常、シャドウマスクは板厚が０．２ｍｍ程度の金属板によって形成されている。このような薄板で形成された大画面用のシャドウマスクは、有孔面の曲率が小さい場合、自重または外力によって変形し、マスク曲面を維持することが難しくなる。すなわち、有孔面の曲率を小さくすると、マスク曲面の保持力（以下、マスク曲面強度）が低下する。特に、マスク曲面強度の低下は有孔面中心すなわち画面センター近傍が最も顕著となる。
【０００７】
そして、マスク曲面強度が低いと、製造中又は輸送中の微小な外力によってシャドウマスクの有孔面が変形してしまう。この場合、シャドウマスクの電子ビーム通過孔とパネル内面との距離関係が変動し、電子銃から放出された電子ビームが所定の蛍光体層にランディングせず、色ずれの原因となる。
【０００８】
また、マスク曲面強度の低下は、シャドウマスクの変形にまで至らなくても、テレビジョンセットに組み込んだ際、音声などの振動により、マスク有孔面が共振し易くなり、画面上に不要な明暗を映し出してしまう。
【０００９】
このようなマスク曲面強度の低下を防止する最も簡単な方法は、シャドウマスクの板厚を厚くすることである。しかしながら、シャドウマスク板厚が増加すると、シャドウマスク製造時のエッチング制御が困難となり、電子ビーム通過孔の孔径のバラツキが大きくなる。その結果、シャドウマスク製造時及びカラー受像管製造時の歩留まり低下や、画面品位劣化を生じる要因となってしまう。
【００１０】
これらの問題を解決する技術として、マスク本体と帯状の補助マスクとで形成したシャドウマスクが提案されている（下記特許文献１参照）。この構成のマスク本体は、蛍光体スクリーンのほぼ全面と対向し多数の電子ビーム通過孔が形成されたほぼ矩形状の有孔部を有している。また、補助マスクは、マスク本体の有孔部の短軸近傍領域に固定され、マスク本体の電子ビーム通過孔に対応した多数の電子ビーム通過孔を有しており、短軸を長手方向とした帯状のマスクである。
【００１１】
このようなマスク本体と帯状の補助マスクとで形成したシャドウマスクによれば、短軸付近の強度が向上するので、シャドウマスクのマスク曲面強度を向上させることができる。また、この構成では、電子銃側から入射する光線はマスク本体の開孔により大きさが決まり、補助マスクの開孔の大きさは密着固定するマスク本体の開孔より十分大きく光線通過余裕のある構造となっている。このため、電子銃側から光線は、補助マスクの開孔を通過する際は補助マスク（開孔の無い部分）に衝突することなく、所定のパネル内面位置に射突することになる。
【特許文献１】特開２００２−１９７９８９号公報
【発明の開示】
【発明が解決しようとする課題】
【００１２】
しかしながら、前記のようなマスク本体と補助マスクとで形成したシャドウマスクには、以下のような問題があった。マスク本体の開孔を通過した光線は、マスク本体の開孔側壁に衝突し、複数の微弱光量が光線入射方向とは異なる方向へ散乱してマスク本体を通過する。この場合、マスク本体を通過する光線の透過光量は、マスク開孔に依存し水平方向に連続的な透過率分布をとる。
【００１３】
一方、補助マスクが密着された部分では、光線通過の際の光線散乱光は、補助マスクの開孔側壁へ衝突し、補助マスク通過後の透過光量が低下する。
【００１４】
このため、ストライプ状の黒色遮光層を形成する際に、補助マスクの有る部分は、補助マスクの無い部分に比べ、通過する紫外線量の低下が生じることになる。このため、補助マスクに対向するストライプ状の蛍光体層は、ストライプの幅が所定の大きさより小さく形成されてしまうという現象が生じる。
【００１５】
この場合、ストライプ状の蛍光体層をパネル全体にて眺めると、補助マスクに対向する蛍光体層はストライプ透過光が暗く、それ以外の範囲では明るいという明暗パターンが生じる。すなわち、補助マスクの固定有無の境界に対向する蛍光体層に明暗の境界が発生し、蛍光体層の品位を低下させるという問題が生じる。
【課題を解決するための手段】
【００１６】
前記目的を達成するために、本発明の第１のカラー受像管は、蛍光体スクリーンと、前記蛍光体スクリーンに対向して配置され、電子ビーム通過孔が形成されたシャドウマスクとを備え、前記シャドウマスクは、マスク本体の一部に重なるように補助マスクが固定されており、前記マスク本体の電子ビーム通過孔の位置と、前記補助マスクの電子ビーム通過孔の位置とが対応しており、前記マスク本体単体の前記電子ビームの前記蛍光体スクリーン側への透過率分布を画面水平方向についてみると、前記補助マスクが固定される部分と前記補助マスクの固定されない部分との境界部分とで不連続になっており、前記不連続部分において、前記シャドウマスクの両端から中央に向かうにつれて減少している透過率がいったん増加していることを特徴とする。
【００１７】
本発明の第１のカラー受像管は、蛍光体スクリーンと、前記蛍光体スクリーンに対向し
て配置され、電子ビーム通過孔が形成されたシャドウマスクとを備え、前記シャドウマスクは、マスク本体の一部に重なるようにように補助マスクが固定されており、前記マスク本体の電子ビーム通過孔の位置と、前記補助マスクの電子ビーム通過孔の位置とが対応しており、前記マスク本体の前記補助マスクが固定される部分と前記補助マスクの固定されない部分との境界部分に隣接する部分のうち、前記補助マスクが固定される部分における前記マスク本体の画面水平方向の開孔幅は、前記補助マスクの固定されない部分における前記マスク本体の画面水平方向の開孔幅より大きいことを特徴とする。
【発明の効果】
【００１８】
本発明によれば、補助マスクによる振動防止効果を維持しつつ、補助マスクの有る部分に対向する蛍光体スクリーンと、補助マスクの無い部分に対向する蛍光体スクリーンとの間の明暗パターンの発生を防止することができる。
【発明を実施するための最良の形態】
【００１９】
本発明は、マスク本体のうち、補助マスクが固定される部分の透過光量を大きくしているので、電子ビームが補助マスクを通過して失われる光量を補うことができ、補助マスクの有る部分に対向する蛍光体スクリーンと、補助マスクの無い部分に対向する蛍光体スクリーンとの間の明暗パターンの発生を防止することができる。すなわち、補助マスクによる振動防止効果は維持しつつ、補助マスク部分の透過光量不足による蛍光体スクリーンの明暗パターンの発生を防止することができる。
【００２０】
前記本発明の第１のカラー受像管においては、前記マスク本体の前記境界部分に隣接する部分のうち、前記補助マスクが固定される部分における前記マスク本体の画面水平方向の開孔幅は、前記補助マスクの固定されない部分における前記マスク本体の画面水平方向の開孔幅より大きいことが好ましい。
【００２１】
また、前記マスク本体の前記境界部分に隣接する部分のうち、前記補助マスクが固定される部分における前記マスク本体の画面水平方向の開孔幅は、前記補助マスクの固定されない部分における前記マスク本体の画面水平方向の開孔幅に比べ１．０５倍以上１．２倍以下であることが好ましい。
【００２２】
以下、本発明の一実施の形態について、図面を参照しながら説明する。図１は、本発明の一実施の形態に係るカラー受像管の断面図である。図２は、図１に示したシャドウマスク８の斜視図である。図１、２において、Ｚは管軸であり、パネル２の中心及びネック４の中心を通る軸である。Ｘは長軸（水平軸）であり、管軸と直交して水平方向に伸びた軸である。Ｙは短軸（垂直軸）であり、管軸Ｚ及び長軸Ｙと直交して伸びた軸である。Ｘ軸方向は画面水平方向であり、Ｙ軸方向は画面垂直方向でもある。なお、Ｘ、Ｙ、Ｚの意味は、以下の各図においても同じである。
【００２３】
図１において、外囲器１はガラス材で形成されており、パネル２と、パネル２のスカート部２ａに接合されたファンネル３と、ファンネル３の小径部から伸びたネック４とを有している。パネル２の外面２ｂは、実質的に矩形状であり、かつ曲率半径が１００００ｍｍ以上であり実質的に平坦面である。パネル２の内面２ｃには、ストライプ状の黒色遮光層を含む蛍光体スクリーン５が形成されている。
【００２４】
外囲器１内には、色選別電極構体であるシャドウマスク構体６が蛍光体スクリーン５に対向して配置されている。このシャドウマスク構体６は、マスクフレーム９に、シャドウマスク８の周辺部を接合して形成したものである。マスクフレーム９は矩形枠状であり、各辺は断面Ｌ字形である。シャドウマスク構体６は、マスクフレーム９の側壁に設けられた弾性支持体１０をパネル２のスカート部２ａに埋設されたスタッドピン１１に係止する
ことで、パネル２の内面に支持されている。
【００２５】
ネック４内には、長軸Ｘ方向にインライン配列された３本の電子ビームを放出する電子銃１２が配置されている。この場合、電子銃１２から放出された電子ビームは、ファンネル３の外側に取り付けられた偏向ヨーク１３により偏向され、シャドウマスク構体６を介して、蛍光体スクリーン５上を水平、垂直走査され、このことにより画像が表示される。
【００２６】
次に、図２を参照しながら、シャドウマスク８について詳細に説明する。シャドウマスク８は、マスク本体１４と、マスク本体１４に取り付けられた補助マスク１５とを備え、部分的に２重構造になっている。補助マスク１５は、マスク本体１４の表面（蛍光体スクリーン５側）に取り付けられている。また、取り付け範囲は、短軸Ｙ軸近傍である。
【００２７】
マスク本体１４のうち、長軸Ｘ方向を横辺、短軸Ｙ方向を縦辺とする略矩形状の領域に有孔部１６が形成されている。また、有孔部１６を囲むように、有孔部１６の外周には、非有孔部１７が形成されている。Ａ部の拡大図に示したように、有孔部１６には、電子ビームを通過させる開孔７が化学的エッチング技術により多数形成されている。非有孔部１７には、開孔７が形成されていない無孔部１８及び無孔部１８の外周部分を折り曲げて形成し管軸Ｚ方向に伸びたスカート部１９が形成されている。
【００２８】
Ａ部の拡大図に示したように、有孔部１６に設けられた開孔７は、短軸Ｙ方向に直線状に延びた開孔列を形成しており、この開孔列は、長軸Ｘ方向に所定の配列ピッチＰＨで多数配列されている。また、各開孔列では、短軸Ｙ方向に隣り合う開孔間にはブリッジ２０がある。補助マスク１５には、マスク本体１４の開孔７に対応した開孔２７が形成されている。
【００２９】
図３（ａ）は、図２に示したシャドウマスクの短軸Ｙ方向の断面図である。図３（ａ）は、マスク本体１４の短軸Ｙ方向の全体に亘り、補助マスク１５が重なっている様子を示している。補助マスク１５には、有孔部２４（斜線部）と非有孔部２５が形成されている。非有孔部２５は、有孔部２４の短軸Ｙ方向における両端の外側に形成されている。非有孔部２５には、マスク本体１４のスカート部１９と重畳するように折り曲げられたスカート部２６を形成している。マスク本体１４と補助マスク１５とは、補助マスク１５の有孔部２４の開孔２７を避けた部分及び非有孔部２５において、レーザ溶接により密着固定されている。
【００３０】
図３（ｂ）は、図２に示したシャドウマスクの長軸Ｘ方向の断面図である。本図に示したように、補助マスク１５は、マスク本体のＹ軸近傍に取り付けられており、本図の例では長軸Ｘ方向の幅はＷである。
【００３１】
図４は、ストライプ状の黒色遮光層形成に用いられる露光装置６０の概略図である。露光装置６０内には、露光光線（紫外線）を発光する水銀ランプ６２がランプハウス６３内にて水冷却されている。露光光線は光線軌道を補正する補正レンズ６１を通過し、シャドウマスク８の開孔を介してパネル２内面の所定位置に射突する。パネル２内面には、フォトレジストが塗布されており、露光光線が射突したストライプ状の領域が、最終的には蛍光体層になる。また、露光光線が射突していないストライプ状の領域が黒色遮光層の形成部分になる。
【００３２】
図５は、比較例に係るシャドウマスク及び図４に示した露光装置６０を用いて露光されたパネル４０の平面図である。パネル４０には黒色遮光層が形成されている。図５にはＢ部の拡大図を示しており、斜線で示したストライプ状の部分が黒色遮光層４２である。黒色遮光層４２間のストライプ状部４１は、後に各色の蛍光体が塗布されて蛍光体層になる
。
【００３３】
このパネル４０の露光の際に用いた比較例に係るシャドウマスクは、マスク本体に補助マスクを重ねた点は、本実施の形態に係るシャドウマスクと同じであるが、比較例に係るシャドウマスクは、補助マスクの無いマスク本体単体の光線の画面水平方向における透過率分布が連続的である点が異なる。この比較例に係るマスク本体単体の透過率分布は、後に説明する図７に示した破線のグラフと同様である。
【００３４】
このため、比較例に係るシャドウマスクは、マスク本体に補助マスクを重ねた状態では、補助マスクの開孔内での光線の散乱等により透過光量は、補助マスクと重複していないマスク本体における透過光量とは異なったものになる。このため、補助マスクと重複している部分と補助マスクと重複していない部分との境界部分において、透過光量分布に非連続部分が生じる。
【００３５】
図５の拡大図において、境界線５０は、補助マスクと重複している補助マスク領域５１と補助マスクと重複していないマスク本体領域５２との境界線である。補助マスクと重複している領域５１と対向するパネル４０においては、紫外線量が不足する。このことにより、境界線５０を境に、補助マスクに対向する部分のストライプ状部４１の幅Ｓｓは、補助マスクと重複していない部分のストライプ状部４１の幅Ｓｍに比べ必要以上に小さく形成されてしまう。このように、蛍光体膜の形成されるストライプ状部４１の幅に大小関係が生じると、蛍光体スクリーン全体について見ると、補助マスク領域５１が、マスク本体領域５２に比べ暗くなる明暗パターンが発生する。
【００３６】
図６は、本実施の形態に係るシャドウマスク８の水平方向（図２のＸ軸方向）における断面図である。図６は、補助マスク１５の有る補助マスク領域３０と補助マスク１５の無いマスク本体領域３１との境界線５０付近の開孔の断面形状を示している。マスク本体領域３１においては、マスク本体１４の開孔７は、合致点２３を境にして上側（蛍光体スクリーン５側）にエッチングされた大孔２１と、下側（電子銃１２側）にエッチングされた小孔２２とで構成されている。黒色遮光層のストライプ幅は、開孔断面の最小幅である合致点２３間の寸法Ｄ１により略決定される。
【００３７】
補助マスク領域３０においては、マスク本体１４の開孔７（実線部分）の合致点２３間の寸法Ｄ２は、マスク本体領域３１における開孔７（破線部分）の合致点２３間の寸法Ｄ１より大きくして、前記の明暗パターン形成の問題を解決するようにしている。より具体的には、マスク本体領域３１においては、合致点２３間の寸法は、画面水平方向において、端部から中央部に向かうにつれて連続的に小さくなりＤ１になっている。補助マスク領域３０においては、合致点２３間の寸法は、いったんＤ２となりＤ１より大きくなっている。このＤ２になった合致点２３間の寸法は、中央部に向かうにつれて、再び連続的に小さくなることになる。
【００３８】
また、ここで、マスク本体１４の上に重ねられた補助マスク１５の開孔２７は、重なった部分のマスク本体１４の開口７よりも大きいことが好ましい。
【００３９】
図７は、マスク本体のＸ方向位置（横軸）と透過光量（縦軸）との関係を示したグラフである。図７中、実線で示した線２８は、実施例に係るシャドウマスクによるものであり、破線で示した線２９は、比較例に係るシャドウマスクによるものである。実施例、比較例のいずれについても、透過光量の測定に用いたのは、補助マスクの無いマスク本体単体である。
【００４０】
実施例に係るシャドウマスクは、図６に示したように、マスク本体領域３１において、
Ｄ１まで連続的に小さくなった合致点２３間の寸法をいったん大きくし、補助マスク領域３０においてＤ２（Ｄ２＞Ｄ１）としたものである。この場合、いったんＤ２に大きくなった合致点２３間の寸法は、中央部に向かうにつれて、再び連続的に小さくなることになる。
【００４１】
比較例に係るシャドウマスクは、マスク本体領域３１において、Ｄ１まで連続的に小さくなった合致点２３間の寸法は、補助マスク領域３０においても引き続き連続的に小さくなっているものである。
【００４２】
マスク本体領域３１においては、実施例に係るシャドウマスク、比較例に係るシャドウマスクのいずれも、開孔７の合致点２３間の寸法は同じであるので、図７のマスク本体領域３１においては、線２８と線２９とは重なり合っている。比較例に係るシャドウマスクは、補助マスク領域３０においても、開孔７の合致点２３間の寸法は連続的に小さくなっているので、マスク本体領域３１から補助マスク領域３０にかけて透過光量は、線２９に示したように連続的に変化している。
【００４３】
一方、実施例に係るシャドウマスクは、補助マスク領域３０において合致点２３間の寸法がＤ２と大きくなっている。このため、マスク本体領域３１から補助マスク領域３０にかけて透過光量は連続的には変化せず、マスク本体領域３１と補助マスク領域３０との境界部分において、透過光量はいったん上昇することになる。補助マスク領域３０においては、透過光量は連続的に変化するが、比較例に比べ、合致点２３間の寸法が大きいので、線２８で示した透過光量は、比較例に係る線２９に比べ大きくなっている。すなわち、実施例においては、マスク本体領域３１と補助マスク領域３０との間で、透過光量がいったん大きくなる非連続的な分布を形成し、補助マスク領域３０における露光光量を増加させることができる。
【００４４】
次に、図７のグラフは、補助マスクの無いマスク本体単体によるものであるが、補助マスクを固定すると、実施例、比較例のいずれについても、補助マスク領域３０における透過光量は低下する。しかしながら、実施例においては、マスク本体単体の状態で、補助マスク領域３０における透過光量を増加させているので、補助マスク固定後においても、比較例に比べ透過光量は大きくなる。すなわち、マスク本体単体の状態で、補助マスク固定による透過光量の低下分に相当する透過光量を増加させるようにしておけば、補助マスク固定状態において、必要な透過光量を確保することができ、補助マスクを通過の際失われる透過光量を補うことができる。
【００４５】
なお、開孔７の合致点２３の水平方向の開孔幅のみを大きくして露光光量を増加させてもよいが、開孔７全体の開口幅を大きくして透過光面積を増やすようにしてもよい。例えば、図６の例では、補助マスク領域３０においては、マスク本体領域３１に比べ、合致点２３間の幅を大きくしているが、合わせて、大孔及び小孔の幅も大きくしている。
【００４６】
本実施の形態の効果を確認するために、８６ｃｍ型（３６型）のカラー受像管にて、比較実験を行なった。比較例、実施例共に、マスク本体と補助マスクの材料の厚さは０．１８ｍｍ、開孔ピッチはセンターで約０．４５ｍｍとした。比較例では、マスク本体の開孔幅は画面水平方向に連続的に変化したサイズ分布とした。これに対し、実施例では、補助マスクに対向するマスク本体の開孔幅を、比較例に比べ略１％大きくした。例えば、図６の例において、比較例では開口幅を０．０９８ｍｍとした部分を、実施例では０、０９９ｍｍとした。比較実験によれば、比較例では発生した明暗パターンを、実施例では無くせることが確認できた。
【００４７】
また、補助マスクの水平方向の開孔幅により、補助マスクに対向するマスク本体の開孔
幅の適正値が変わることも確認された。これによると、補助マスクを境界として、マスク本体の開孔の幅が、補助マスクの密着有り部が補助マスク密着無し部に対し１．０５倍以上１．２倍以下の範囲で設定されるのが望ましいことが確認された。すなわち、開孔幅の適正値は、補助マスクの水平方向の開孔幅による影響を受けるものの、前記のような範囲であれば、明暗パターンの発生防止に有効である。
【００４８】
また、マスク本体の水平方向の開孔幅は、補助マスク密着有無を境界として、少なくともその境界に隣接する補助マスクの密着有り部が補助マスク密着無し部に対し１．０５倍以上１．２倍以下の範囲で設定されることでも効果があることを確認した。なお、この場合であっても、補助マスクの密着有り部のみについてみると、図７の領域３０の線２８に示したように、透過光量が連続的に変化するように、開孔幅が設定されていることには変りない。また、前記条件はマスクの開孔大きさ、マスク材料の厚さにより適宜設計される。
【００４９】
本実施の形態によれば、シャドウマスク８を通過した露光光量は連続的な光量分布を形成し、黒色遮光層のストライプ幅を連続的サイズ分布とし、黒色遮光層の明暗パターンをなくし、良質な品位を提供することが可能となる。
【産業上の利用可能性】
【００５０】
本発明のカラー受像管によれば、補助マスクによる振動防止効果を維持しつつ、蛍光体スクリーンの明暗パターンの発生を防止することができるので、本発明は、例えばテレビ受像機、コンピュータディスプレイに用いられるシャドウマスク型の陰極線管に有用である。
【図面の簡単な説明】
【００５１】
【図１】本発明の一実施の形態に係るカラー受像管の断面図。
【図２】図１に示したシャドウマスク８の斜視図。
【図３】（ａ）は、図２に示したシャドウマスクのＸ軸方向の断面図、（ｂ）は、Ｙ軸方向の断面図。
【図４】露光装置の一例の概略図。
【図５】比較例に係るシャドウマスクを用いて形成したパネルの平面図。
【図６】本発明の一実施の形態に係るシャドウマスクのＸ軸方向の断面図。
【図７】実施例と比較例とにおいて、マスク本体の水平方向位置（横軸）と透過光量（縦軸）との関係を示したグラフ。
【符号の説明】
【００５２】
２  パネル
５  蛍光体スクリーン
７  マスク本体の開孔
８  シャドウマスク
１４  マスク本体
１５  補助マスク
２１  マスクのスクリーン側の大孔
２２  マスクの電子銃側の小孔
２３  ２１と２２の合致点（開孔）
２７  補助マスクの開孔
５１  ストライプ状の黒色遮光層の補助マスク領域
５０  ストライプ状の黒色遮光層の補助マスクの有無に対向するの境界
【図１】
2005251531.tif 000003
【図２】
2005251531.tif 000004
【図３】
2005251531.tif 000005
【図４】
2005251531.tif 000006
【図５】
2005251531.tif 000007
【図６】
2005251531.tif 000008
【図７】
2005251531.tif 000009